(57)【要約】【課題】電源に関する安全情報をデバイスのユーザに対して表示する。【解決手段】電源がデバイスに接続され、かつデバイスがオンする場合には安全情報がユーザにディスプレイを通して提供される。次にユーザは情報をスクロールして情報全体を読み取ることができる。一旦読み取ると、ユーザには情報を受容、または拒絶する機会が与えられる。ユーザが安全情報を拒絶すると、デバイスの電源が遮断される。ユーザがデバイスを確認すると、デバイスが動作可能になる。システムのこのような性能によって、ユーザは情報を再度表示するかどうかを選択し、キャリア及びサードパーティに対して追加情報があるかどうかを尋ねるポーリングを任意選択することができる。【選択図】  図１
2005302010.tif 000002
【特許請求の範囲】
【請求項１】
ａ．ユーザに見えるディスプレイと、
ｂ．電源と、
を備え、電源に関する安全情報をディスプレイに表示する携帯電子デバイス。
【請求項２】
安全情報はデバイスがオンするときにディスプレイに表示される請求項１に記載のデバイス。
【請求項３】
デバイスがオフした時点以降に電源が取り外されたかどうかを検出する機能を備える請求項１に記載のデバイス。
【請求項４】
安全情報の表示は次の事象が生じたときに行なわれる請求項３に記載のデバイス。
ａ．デバイスがオフした時点以降に電源が取り外された。
ｂ．デバイスがオンする。
【請求項５】
安全情報は、ユーザが情報をデバイスに入力するまでディスプレイに表示されて見ることができる状態に維持される請求項２又は３に記載のデバイス。
【請求項６】
入力される前記情報は、安全情報の受け入れ、及び安全情報の拒絶から成るグループから選択される、請求項５に記載のデバイス。
【請求項７】
入力される前記情報が安全情報の拒絶である場合、デバイスがオフする請求項６に記載のデバイス。
【請求項８】
デバイスに接続される電源を識別する機能を備える請求項１に記載のデバイス。
【請求項９】
電源が識別されると、第１タイプの安全情報がディスプレイに表示され、さらに電源が識別されないと、第２タイプの安全情報がディスプレイに表示される請求項８に記載のデバイス。
【請求項１０】
電源は再充電可能な電池を含む請求項１に記載のデバイス。
【請求項１１】
ａ．マイクロプロセッサと、
ｂ．マイクロプロセッサに接続され、かつマイクロプロセッサが実行することができるソフトウェアを格納するメモリと、
ｃ．ディスプレイと、
を備え、ソフトウェアは複数のステップを含み、これらステップでは
a.  電源の存在を検出し、
b.  電源についての情報をディスプレイに表示する電子デバイス。
【請求項１２】
前記ステップにおいては更に、ユーザがキーを押下するまで情報をディスプレイに表示したままの状態を維持する請求項１１に記載のデバイス。
【請求項１３】
情報の表示はデバイスに印加される電力により行なわれる請求項１２に記載のデバイス。
【請求項１４】
前記ステップにおいては更に、最後の電源遮断動作が行なわれた時点以降に電源がデバイスに接続されたかどうかを検出する請求項１２に記載のデバイス。
【請求項１５】
最後の電源遮断動作が行なわれた時点以降に電源がデバイスに接続された場合にのみ、電
源に関する情報をディスプレイに表示する請求項１４に記載のデバイス。
【請求項１６】
前記ステップにおいて、電源を識別する請求項１２に記載のデバイス。
【請求項１７】
電源が識別されると、第１情報メッセージがディスプレイに表示され、さらに電源が識別されないと、第２情報メッセージがディスプレイに表示される請求項１６に記載のデバイス。
【請求項１８】
前記ステップにおいては更に、サードパーティに対してポーリングを行なって追加情報メッセージがあるかどうかを尋ねる請求項１２に記載のデバイス。
【請求項１９】
追加情報メッセージは、キャリアからの安全情報、ＯＥＭからの安全情報及び政府からの安全情報から成るグループから選択される請求項１８に記載のデバイス。
【請求項２０】
キーが、情報の確認が為されたことを示す少なくとも一つのキー、及び情報の確認が為されないことを示す少なくとも一つのキーから成るグループから選択される請求項１２に記載のデバイス。
【請求項２１】
ユーザが選択するキーが、情報の確認が為されないことを示す前記少なくとも一つのキーである場合にデバイスの電源が遮断される請求項２０に記載のデバイス。
【請求項２２】
前記ステップにおいては更に、情報をディスプレイ上でスクロールする請求項１２に記載のデバイス。
【請求項２３】
電話機、ページャー、双方向無線機、コンピュータ、ＰＤＡ及びＭＰ３プレイヤーから成るグループから選択される請求項１１に記載のデバイス。
【請求項２４】
電源は再充電可能な電池を含む請求項１１又は１２に記載のデバイス。
【請求項２５】
再充電可能な電池に関する安全情報をユーザに提供する方法であって、
ａ．再充電可能な電池が、デバイスが最後に動作した時点以降にデバイスから取り外されたかどうかを検出する工程と、
ｂ．安全情報をデバイスのディスプレイに表示する工程と、
ｃ．ユーザによる確認が為されるまで安全情報をディスプレイに表示したままの状態を維持する工程とを含む方法。
【請求項２６】
更に、ユーザが安全情報を拒絶する形で確認を行なう場合に、デバイスの電源を遮断する請求項２５に記載の方法。
【請求項２７】
更に、ユーザが安全情報を受け入れる形で確認を行なう場合に、安全情報をディスプレイから消去する請求項２５に記載の方法。
【請求項２８】
更に、デバイスに接続される再充電可能な電池のタイプを識別する請求項２５に記載の方法。
【請求項２９】
更に、再充電可能な電池のタイプをデバイスが認識すると、第１タイプの安全情報がディスプレイに表示され、さらに再充電可能な電池のタイプをデバイスが認識できない場合には、第２タイプの安全情報がディスプレイに表示される請求項２８に記載の方法。
【請求項３０】
キャリアに対してポーリングを行なって追加情報があるかどうかを尋ねる請求項２５に記
載の方法。
【発明の詳細な説明】
【技術分野】
【０００１】
本発明は概して電子デバイスの通知システムに関し、特にユーザに電子デバイスの電源に関する安全情報を提供するシステムに関する。
【背景技術】
【０００２】
携帯電話、無線機、ページャー、ＭＰ３プレイヤー及びＰＤＡのような今日利用できるほとんどの電子デバイスは再充電可能な電池を電源として使用する。再充電可能な電池によってデバイスを携帯することができ利便性が増す。更に、ユーザは電池のエネルギーが無くなる度に新規の電池を購入する必要が生じるのではなく、単に電池を再充電すればよいだけなので、再充電可能な電池によってデバイスを動作させるための合計コストが小さくなる。
【０００３】
再充電可能な電池は通常、リチウムまたはニッケルのような元素から製造される。再充電可能な電池によく使用される化学物質には、ニッケル−カドミウム（ＮｉＣｄ）、ニッケル−金属水素化物（ＮｉＭＨ）、リチウムイオン、及びリチウムポリマーが含まれる。これらの化学物質はエネルギーを貯蔵し、供給するために良好に機能するが、再充電可能な電池を使用する際には所定の事項を遵守する必要がある。例えば、再充電可能な電池を火の中に置くことは望ましくない。同様に、ユーザが再充電可能な電池を分解するのは望ましくない、というのは、電池の信頼性が一般的に、分解処理中に落ちるからである。更に、再充電可能な電池は最適性能を実現するために特定の方法で充電する必要がある。
【０００４】
以上の事項及び他の事項を考慮して、ほとんどの電池製造業者は幾つかのタイプの安全情報を電池のどこかに表示している。この情報は多くの場合、電池ラベルに印刷され、そして幾つかの標準の国際シンボルマークを含んでいる。しかしながら多くの場合、情報は単に電池が販売される国の言語でラベルに記載されているだけである。
【０００５】
全世界に電池を販売している製造業者にとって、安全情報をユーザに異なる言語で提供するという要求が出てくると或る問題、すなわち異なるラベルを各々の国に対して使用する必要がある、という問題が生じる。例えば、英文テキストのラベルは米国で使用され、中国語テキストのラベルは中国で使用される。複数のラベルが必要になると、製造効率が悪くなり、そして総合製品コストが大きくなる。この問題に対して妥協点を探すために、幾つかの国は複数の言語または方言を使用する。例えば、フランス語及び英語の両方がカナダでは言語として使用される。
【発明の開示】
【発明が解決しようとする課題】
【０００６】
この複数ラベルの問題に対する先行技術による一つの解決方法は、複数言語が印刷された単一ラベルを作製することである。この解決方法に関する問題は、電池及び電子デバイスの両方がどんどん小さくなっていくことである。例えば、これまでの電話機のサイズが靴の大きさであったのが、今ではシャツのポケットに簡単に収まる大きさになっている。このサイズ縮小により、複数言語ラベルは、１５以上の異なる言語を一つのラベルに収めるのに必要な文字サイズによって裸眼での読み取りがほぼ不可能になるので有効ではない。更に、情報量がラベルサイズによって制限される。この結果、設計者が１ページ分の情報を数行に詰める必要に迫られる場合がある。
【０００７】
従って、エネルギー源情報を電子デバイスのユーザに提供する方法を改良する必要が生じる。
【課題を解決するための手段】
【０００８】
本発明の一態様によると、携帯電子デバイスはユーザに見えるディスプレイと、電源とを備え、電源に関する安全情報をディスプレイに表示する。
本発明にかかるデバイスは安全情報はデバイスがオンするときにディスプレイに表示される。
【０００９】
本発明における別の態様は再充電可能な電池に関する安全情報をユーザに提供する方法であって、再充電可能な電池が、デバイスが最後に動作した時点以降にデバイスから取り外されたかどうかを検出する工程と、安全情報をデバイスのディスプレイに表示する工程と、ユーザによる確認が為されるまで安全情報をディスプレイに表示したままの状態を維持する工程とを含む。
【発明を実施するための最良の形態】
【００１０】
次に、本発明の好適な実施形態について詳細に説明する。添付の図を参照すると、同様な番号は図を通じて同様な部品を指している。
本発明は、電源に関する安全情報をユーザにデバイスのディスプレイに表示する形で提供する。異なる表現をすれば、本発明により、電池、電池充電器、または電力供給装置のような電源をデバイスに接続し、そして電源をオンさせると、当該エネルギー供給源に関する安全情報がデバイスのディスプレイに表示されてユーザがこの情報を読み取ることができる。一つの好適な実施形態では、ユーザは次に画面上の情報をスクロールし、そして読み取ることができる。一旦、情報を読み取ると、ユーザは、情報を受け入れる形の確認に関するキーを押下することによりユーザが情報を理解したことを通知することができる。この確認が済むと、ユーザはデバイスを普通に使用することができる。一つの実施形態では、ユーザが確認を行なうことができなかった、または未確認のキーを押下すると、デバイスの電源が遮断される、というのは、ユーザにとっては使用の前にデバイスに関する安全情報を理解することが賢明である場合が多いからである。
【００１１】
次に図１を参照すると、この図には、電源に関する安全情報をユーザに提供する機能を備える本発明による電子デバイスが示されている。携帯電子デバイス１００及び電源１０１が示されている。本発明の一の実施形態は、電子デバイスとして携帯電話を、そして電源として再充電可能な電池を挙げているが、この技術分野の当業者であれば、本発明はこれに限定されるものではないことが分かるであろう。本発明は、無線機、ページャー、ＰＤＡ、ＭＰ３プレイヤー、ラップトップコンピュータなどを含む多種多様の電子デバイスにも同じように適用可能である。同様に、再充電可能な電池を電源として使用するのではなく、再充電可能な電池を電力供給装置、充電器、燃料電池、スターリングエンジン、太陽電池などを含む他のデバイスに置き換えることができる。
【００１２】
電子デバイス１００はユーザが見ることができるディスプレイ１０２を含む。このディスプレイ１０２は通常、液晶ディスプレイであるが他のディスプレイも同じように使用することができる。電源１０１は、電子デバイス１００と機械的及び／又は電気的に接続されてデバイス１００を動作させるために必要なエネルギーを供給する機能を備える。
【００１３】
電源１０１に関する安全情報１０３はディスプレイ１０２に表示される。このような安全情報１０３の一例として、「電池を火の中に置かないで下さい」などと表示することができる。他の情報として、「分解しないで下さい」または「再利用して下さい」などと表示することができる。安全情報１０３は電子デバイス１００内で選択された選択言語で表示される、またはその国の慣習、法律及び法規制に従って必要となる複数言語で表示される。
【００１４】
安全情報を１度だけ、好ましくは電源１０１をデバイス１００に接続した後の最初の使用の間に表示することが望ましいことがある。ユーザは情報を知る必要があるが、ユーザが情報を読み、理解し、そして学習した後に何度も情報が表示されると煩わしくなる。このため、電子デバイス１００は電源が外される時点を判定する回路を含む。この検出回路は電池コンタクト１０４がデバイス１００に接続される時点を検出する回路を含む。例えば、電圧検出器はデバイス１００の端子の電池電圧を検知する、またはデータ回路はメモリデバイスが電源１０１内に含まれていることを検出することができる。同様に、電子デバイスに接続される機械スイッチは電池が外される時点を検出する。
【００１５】
電子デバイス１００はボタン、例えば１０５を含み、このボタンを用いてユーザは情報をデバイスに入力する。また、多機能ボタン、例えば１０６によりユーザはディスプレイ１０２上の情報１０３をスクロールすることができる。
【００１６】
図２を参照すると、そこには回路ブロック図が示されており、このブロック図は携帯電話通信システム１００を示しており、この通信システムは図１に示す例示としての実施形態と同じである。ここで、他の電子デバイスは同様なシステム及び回路を含むことに留意されたい。
【００１７】
システム２００はマイクロプロセッサ２０１を含み、このプロセッサはデバイスの中央処理ユニットとして機能する。メモリモジュール２０２がマイクロプロセッサ２０１に接続される。マイクロプロセッサ２０１が実行するソフトウェアコードはメモリ２０２内に格納される。メモリ２０２内に保存されるソフトウェアは、電源に関する情報をディスプレイ１０２に表示する複数のステップに対応する命令を含む。これらのステップについては、図３〜６を参照しながら以下に詳細に記載する。
【００１８】
図１に関する議論から分かるようにデバイス１００は、電源１０１が取り付けられていることを検出する機能を備える検出器２０３を含む。検出器２０３は、電源１０１が直近の電源遮断動作以降にデバイス１００に接続されたかどうかを検出する機能を備えることができる。検出器２０３はまた、例えば電源１０１内に配置されるＥＰＲＯＭのようなメモリ２０５から識別データを読み出すことにより電源を識別する機能を備えることができる。電源１０１がソフトウェアからの指示によって検出されると、マイクロプロセッサ２０１はソフトウェアからの指示に基づいて電源１０１に関する情報をディスプレイ１０２に表示する。
【００１９】
この指示によって、電力がデバイス１００に印加されると情報を表示する、またはデバイス１００がオンすると情報を表示する。デバイス１００が電源１０１の存在を検出する機能を備える場合、指示によって、デバイス１００がオフした、またはデバイスの電源が遮断された最後の時点以降に電源１０１が取り外されたことをデバイス１００が検出したときに情報を表示する、または最後の電源遮断動作以降に電源１０１がデバイス１００に接続された場合にのみ情報を表示する、或いはデバイス１００がオフした時点以降に電源１０１が取り外されてしまい、そしてデバイス１００がオンするときに情報を表示する。
【００２０】
情報がディスプレイ１０２に表示されると、一の好適な実施形態では、ユーザがキーパッド２０４のキーを押下する、または情報をデバイス１００に入力するまで情報をディスプレイ１０２に表示したままにしておく。
【００２１】
図３を参照すると、この図には、ソフトウェア命令に対応するフローチャート、または安全情報をユーザに提供するステップが示されている。ステップ３００では、デバイス１００をオンさせる、またはデバイスの電源を入れる。ステップ３０１では、デバイスは電池または他の電源が直近の電源遮断と同じ状態であるかどうか、または新規の状態になっ
ているかどうかを判定する。この判定は幾つかの方法の内のいずれかの方法で行なうことができる。
【００２２】
上記したように、安全情報をユーザに、電源が置き換えられた、またはデバイスから取り外されたときにのみ通知することが望ましいことを思い起こされたい。従って、電源がＥＰＲＯＭ２０５またはコード化抵抗器のような識別情報を含まない場合には、検出器が電源が直近の電源遮断動作以降に取り外されたことを検出すると新規の電源が検出されることになる。電源が識別情報を含む場合、検出器が電源が直近の電源遮断以降に取り外されており、かつ識別情報が前の電源とは同じではないことを検出すると新規の電源が検出されることになる。新規の電池または電源が検出されない場合、通常の始動プロセスまたは起動プロセスがステップ３０２で行なわれる。
【００２３】
システムが識別情報を有する電源を含み、かつ新規の電池または電源が検出される場合、デバイス１００は電源がステップ３０３で識別可能かどうかをチェックする。例えば、識別情報が製造者コードを含む場合、デバイスは電源が製造業者により検査済みの安全保証製品として製造されたかどうかをチェックすることができる。電源を識別することができない場合、第１タイプの安全情報、例えば未知の製品であることを示す警告メッセージがステップ３０４で現れる。この警告は、電源のタイプが未知であり、かつこの製品を使用するとリスクが大きくなる可能性があることを通知する言語を含む。
【００２４】
電池が識別されると、第２タイプの安全情報、例えば基本安全情報メッセージがステップ３０５で表示される。ここで、システムが識別情報を有する電源を含まない場合にはステップ３０３がルーチンから外されることになる。
【００２５】
ステップ３０６で強制的にスクロールを行なうことにより、ユーザは画面に表示されるメッセージの全てを見ることができる。例えば強制的なスクロールは、全メッセージが表示されるまでキーを押下するなどの度に、情報の別の部分を表示することにより行なうことができる。別の構成として、専用のアップ／ダウンスクロールボタンをデバイスに設けることができる。スクロール機能によってぎっしり詰まった情報の問題を解決することができる、というのは、技術者は情報をまとめる必要が無くなるからである。情報をそっくりそのまま表示することができる。
【００２６】
ステップ３０７では、確認メッセージが画面に表示される。確認メッセージはユーザに安全情報の受け入れ、または安全情報の拒絶のいずれかを入力するように要求する。受け入れは、「あなたはこれらの項目の内容を理解し、これらの項目の内容に同意されますか？もし同意されるなら、１を押して下さい。同意されないなら２を押して下さい。」のような簡単なメッセージにより行なうことができる。別の構成として、メッセージによって「ＰＯＷＥＲ以外ならばどのキーを押すことによっても、あなたがこの情報を一読し、かつ理解したことに同意することになります。」と宣言することができる。
【００２７】
次にユーザは安全情報の受け入れを、例えばステップ３１０で入力する、または安全情報の拒絶をステップ３０８で入力する。ユーザが安全情報を拒絶する場合、一の好適な実施形態では、デバイスの電源はステップ３１０で遮断される。この動作は通常、ユーザがデバイスに関する安全情報を理解していないことが判明した場合にユーザにとってデバイスを動作させるのは賢明ではない点で望ましい。
【００２８】
ステップ３１１では、任意選択の形で、「このメッセージを電源投入時に表示しなさい」という催促が行なわれる。一旦、ユーザがデバイスに関連する情報を一読し、かつ理解すると、或る製造業者はユーザに負担が掛からないように、メッセージを何度も繰り返し表示するようにしている。従って、デバイスの電源投入の度に情報を表示するという動作
をステップ３１１で任意選択とすることによって、ユーザはユーザが情報を再びは見たくないことをデバイスに通知することができる。ユーザの要望は、「ｙｅｓ」または「ｎｏ」をそれぞれステップ３１３及び３１２で入力することによりデバイスに伝えることができる。
【００２９】
ほとんどの製造業者は、電源が入れ替わったときにユーザがメッセージを拒絶することができるという構成を望まない。例えば、ユーザが電源を識別済の信頼性の高い電源から識別前の信頼性の低い電源に入れ替える場合、製造業者はユーザがステップ３１３または３１２でどのような選択を行なうかに関係なく安全情報を再度表示することを望むと思われる。このような理由により、一の好適な実施形態では、電源が取り外されるときにソフトウェアがステップ３１３または３１２でのユーザによる選択に優先する。上に簡単に記載した、電源が入れ替えられたかどうかを検出する方法について再度、図４を参照して議論する。
【００３０】
ステップ３１４では、キャリアまたは他のサードパーティに対してポーリングを行なって追加安全情報があるかどうかを尋ねる機会が任意に生じる。例えば、製品回収、新規安全情報通知または新規保証通知を行なう場合、デバイスがデバイス内にローカルに保存されている情報を表示するだけでなく、ダウンロード情報も表示することが望ましい。このような理由により、ステップ３１４では、このような情報を収集する機会が与えられる。ステップ３１４の詳細については図６に関する議論で説明することになる。
【００３１】
次に図４を参照しながら、電池または他の電源が、デバイスが最後に動作した時点以降に取り外されたかどうかを判定する一の好適な方法について詳細に分析する。上に述べたように、電源は識別情報付き、及び識別情報無しの両方のタイプのものが在る。従って、ここでは２つの分岐４００，４０１を示し、一つの分岐４００では識別情報を有する電源が取り外されたかどうかを検出し、そして別の分岐４０１では識別情報を持たない電源が取り外されたかどうかを検出する。
【００３２】
識別情報を有する電源の場合、この識別情報はデバイスがステップ４０２で読み出す。情報はステップ４０３で保存される。ステップ４０６では、最新の読み出し情報を、デバイスが動作した最後のときに保存された電源識別情報に対応する保存情報と比較する。これらの情報がステップ４０７で判定されて一致すると、新規電源はステップ４０８では検出されない。これらの情報が一致しないと、新規電源がステップ４０９で検出される。ここで、電源が識別情報を有する電源から識別情報を持たない電源に入れ替えられた場合、またはその逆の場合は、一致の判定がステップ４０７で得られないので、アルゴリズムはステップ４０９に進む。
【００３３】
識別情報を持たない電源の場合、検出器はステップ４０４で取り外しを検出する。上に述べたように、検出器は機械検出器、例えばプッシュボタンとすることができ、このボタンにより、電源が組み込まれるときにスイッチが設定される。検出器は、コネクタが接続されていることを検出する機械検出器とすることもできる。別の構成として、検出器は、電源コネクタに電圧が印加されていることを検出し、それに応じて内部フラグをマイクロプロセッサに設ける電気スイッチを含むことができる。いずれにしても、ステップ４０５でこの検出器の切り替わりを取り外しフラグとして設定する。次にデバイスは、このフラグがステップ４０６で切り替わったかどうかをチェックする。もしフラグが切り替わった場合、デバイスはステップ４０９に進む。もしフラグが切り替わっていない場合、デバイスはステップ４０８に進む。
【００３４】
次に図５を参照すると、未知の電源の警告情報メッセージの一の好適な実施形態が示されている。図３のステップ３０４において、電源が識別できなかった場合の未知の警告情
報メッセージの表示について議論した。図５はこのようなメッセージを表示する一のこのような方法を示している。
【００３５】
ステップ５００では、デバイスは、電源が識別されていないことを認識している。ステップ５０１では、高レベルの警告をユーザに対して発する。この高レベルの警告は、例えば未確認の電源を安全面で認証することができず、かつ大きなリスクが未知の電源に関連して生じることを通知する。更に、未知の電源を使用しないようにという勧告をステップ５０２で通知することができる。使用の前に、或る製造業者はステップ５０３で危険負担メッセージの提示を希望することができる。
【００３６】
ステップ５０４における強制スクロールは上に記載したものと同じであり、このスクロールにより、メッセージの全体が、編集または統合の必要を生じることなく確実に表示される。ユーザによる確認が行なわれるまでメッセージが確実に表示されるようにするために、確認の催促がステップ５０５で行なわれる。図３に示すルーチンと同じように、ユーザはステップ５０８及び５０６のそれぞれで、受け入れ、または拒絶のいずれかの形で確認を行なうことができる。ユーザが拒絶の形で確認を行なう場合、一つの選択肢としてステップ５０７でデバイスの電源を遮断する。
【００３７】
次に図６を参照すると、サードパーティに対してポーリングを行なって追加安全メッセージがあるかどうかを尋ねる一の好適な実施形態が示されている。これは図３の任意選択のステップ３１４に対応する。この任意選択のステップを採用する場合、ステップ６００でデバイスがキャリアに対してポーリングを行なって追加情報があるかどうかを尋ねる。キャリアはステップ６０１で受け入れる形、または拒絶する形のいずれかで確認を行なう。受け入れる形の確認が行なわれると、デバイスはステップ６０２で情報をダウンロードする。情報は多くのタイプの内のいずれであってもよいが、情報の例としては、キャリアからの安全情報、ＯＥＭまたは製造業者からの安全情報、及び政府ベースの安全情報が挙げられる。政府ベースの安全情報としては、ＦＤＡ警告、ＣＰＳＣ（Ｃｏｎｓｕｍｅｒ  Ｐｒｏｄｕｃｔ  Ｓａｆｅｔｙ  Ｃｏｍｍｉｓｓｉｏｎ）警告、及びＷＨＯ警告が挙げられる。
【００３８】
次に図７を参照すると、サードパーティからメッセージを受信する電子デバイス１００を使用する一の環境の最高位のブロック図が示されている。このようなメッセージを受信するには、デバイス１００は通信機能を備える必要がある。例えば携帯電話のような通信デバイスの場合、通信は通常、少なくとも一つのサービスセンター７００を有するサービスプロバイダーを通して行なわれる。
【００３９】
システムにおいては、デバイス１００及びサービスセンター７００は無線通信により互いに通信することができる。無線通信は図７では通信を示す矢印Ａ及びＢによって示される。図７に示すように、一の実施形態では、通信Ａは、携帯電話ネットワーク７０２及び公衆電話交換網（ＰＳＴＮ）７０３を通して基地局アンテナ７０１に、さらにサービスセンター７００に送信される携帯無線通信である。サービスセンター７００はコンピュータ群を含み、これらのコンピュータ内部にはサードパーティからの安全メッセージが保存される。メッセージが、例えばＯＥＭまたは政府関連メッセージである場合、これらのメッセージは当該特定サードパーティ７０４からサービスセンター７００に送信される。
【００４０】
本開示による利益を享受するこの技術分野の当業者であれば、多くの考えられる無線通信方法をデバイス１００からサービスセンター７００への通信に使用することができることが分かるであろう。一の実施形態では、通信は、ＡＭＰＳ，ＣＤＭＡ，ＧＳＭまたはＴＤＭＡのような携帯無線通信を通して行なわれる。デバイス１００からサービスセンター７００への送信もまた、衛星通信のような他の無線通信によって行なうことができる。
【００４１】
デバイス１００から情報に関する問い合わせを受信すると、サービスセンター７００はセンター自体で保存しているどのような安全情報もデバイス１００に送信することができる。一の実施形態では、通信Ｂは、公衆電話交換網（ＰＳＴＮ）７０３及び携帯ネットワーク７０２を通して、かつ基地局アンテナ７０１によってデバイス１００に送信される携帯無線通信である。この後、デバイスは情報をディスプレイに表示することができる。
【００４２】
本発明の好適な実施形態について示し、そして記載してきたが、本発明はこのような実施形態に制限されないことは明らかである。この技術分野の当業者であれば、多くの変形物、変更物、変化物、代替物、及び等価物を次の請求項により定義される本発明の技術思想及び技術範囲から逸脱しない範囲で想到し得るものと考えられる。
【図面の簡単な説明】
【００４３】
【図１】本発明による電子デバイス及び電源を示す図。
【図２】本発明によるデバイスの模式ブロック図。
【図３】本発明による、安全情報をユーザに提供する動作に関連するソフトウェアを説明するフローチャート。
【図４】デバイスが最後に動作した時点以降に電源がデバイスから取り外されたかどうかを検出する一の実施形態のフローチャート。
【図５】本発明による、認識されない電源に関する高位の安全警告の一の実施形態を示す図。
【図６】本発明に従ってサードパーティに対してポーリングを行なって追加安全情報があるかどうかを尋ねる様子を表わすフローチャート。
【図７】本発明に従って電子デバイスがサードパーティに対してポーリングを行なって追加安全情報があるかどうかを尋ねる環境を示す図。
【符号の説明】
【００４４】
電子デバイス１００、電源１０１、ディスプレイ１０２、安全情報１０４。
【図１】
2005302010.tif 000003
【図２】
2005302010.tif 000004
【図３】
2005302010.tif 000005
【図４】
2005302010.tif 000006
【図５】
2005302010.tif 000007
【図６】
2005302010.tif 000008
【図７】
2005302010.tif 000009